(57)【特許請求の範囲】
【請求項１】
キューレット部（１１ａ）を上向きの案内孔（２ａ）内に挿入して案内した状態で宝石（１）のパビリオン（１１）の先端部を支持する台座部（２）と、前記宝石（１）の中心から４５〜１２０°の角度間隔で、前記台座部（２）から前記宝石（１）のガードル部（１２）を経て立ち上がる独立した二個の押え爪（３）とを一体に備え、当該二個の押え爪（３）により前記宝石（１）のファセット部（１０ｂ）を前記台座（２）の前記案内孔（２ａ）の凸円弧状断面の内周面からなる受け部（２ｂ）に向って押え付けるように曲げ加工することにより、宝石（１）のファセット部（１０ｂ）の外周縁とパビリオン（１１）の先端部周面とを二個の押え爪（３）と前記受け部（２ｂ）間に挟み付けた状態で取付けた、ファセットカット宝石の取付構造。
【発明の詳細な説明】
【技術分野】
【０００１】
本発明は、ファセットカットされた宝石を保持金具に取り付けるための取付構造に関するものである。金具に取り付けられた宝石は、ペンダント、ブローチ、イヤリング、ピアス等に使用されるほか、例えばチェーンを取り付けてネックレスとして使用される。
【背景技術】
【０００２】
ファセットカットされた宝石の取付金具は、キューレット部を案内した状態で宝石のパビリオンを支持する台座部（銀、プラチナ、金等の貴金属）と、この台座部へ等角度間隔で分散するように一体に形成され宝石のガードル部を経て立ち上がる四〜六個の押え爪とから構成され、宝石は前記各押え爪により台座部へ押し付けられた状態で取り付けられる（後記特許文献２の第５図〜第８図参照）。
【０００３】
しかし、押え爪が多いとそれらの押え爪によって宝石正面（クラウン）の塞がれる領域が拡大するので、例えば図９の（ａ），（ｂ）図（特許文献１）や図１０の（ｃ），（ｄ）図（特許文献２の第３，４図）で示すような取付構造が提案されている。
図９の取付構造は、ファセットカットされた宝石１のキューレット部（宝石の下半部であるパビリオンの頂点部）１１ａを内包する状態でパビリオン１１を支持するリング状の台座部４と、当該台座部４からガードル部１２を経て立ち上がる状態に連結片（チェーンを連結する。）を兼ねた一つの堅固な押え爪５を形成し、この押え爪５を工具により台座部４側へ曲げ、台座部４と押え爪５とで宝石１を挟んだ状態とする。
図１０の取付構造は、図９の取付構造と同様な台座部４へ一体に押え爪５を設け、押え爪５へ小さな角度間隔で二つの利き部５０，５０を形成し、押え爪５を台座部４側へ曲げ加工することにより、前記二つの利き部５０，５０で宝石のファセット部１０ｂを台座部４側へ押え付けている。
【０００４】
図９の取付構造によれば、堅固な一つの押え爪５を曲げ加工して宝石１を台座部４へ押え付ける際、たがねを押え爪５に当てて槌で打たねばならないので宝石１及び台座部４へ大きな衝撃が加わる。その力が宝石１（特にパビリオンのカット面の境界である稜部）と台座部４の受部へ作用する際に宝石１と台座部４の受部とが強く擦れ合い、台座部４の受部に小さな傷が付き、この傷が、光線の状態によっては図９の（ａ）図のように宝石１のテーブル１０ａの面に黒い（台座部４が銀やプラチナである場合には黒く表れる。要するに宝石１の輝きとは異なる色である。）点々（ないし影）ｅとなって反映されることがあった。この点々ｅは、外見を損なうのみでなく宝石１の不純物（例えばカーボン）と誤認されることがあり、宝石に付随している鑑定どうりの宝石１が使用されていないと見られるおそれがあった。
また、図９の取付構造は、単一の押え爪５によって宝石１を押え付けるので、押え爪５が宝石１のクラウン１０におけるテーブル１０ａの一部に被さることが必須の要件になっているが、テーブル１０ａの一部が塞がれ、それだけ宝石１の最も輝く部分であるテーブル１０ａが目立ち難くなる欠点があった。
【０００５】
他方、図１０の取付構造は、宝石１のテーブル１０ａの全面を正面に露出する代わりに、単一の押え爪５の二つの利き部５０，５０によって宝石１を台座部４へ確実に固定しようとするものである。しかしながら、利き部５０，５０は同じ押え爪５に形成されているために、押え爪５の先端幅を広く形成する必要上宝石１のファセット部１０ｃを広く塞ぐ問題があった。また、押え爪５を押圧して宝石１のクラウン１０におけるファセット部１０ｂを押え付けたときに、同じ押え爪５の二箇所の利き部５０，５０へ力が分散して十分な押え付けができず、経時的に宝石１のがたつきが生じ易く宝石１が台座部４から脱落するおそれがあった。
また、利き部５０，５０へ押え付けの力が分散しても宝石１を台座部４へ確実に固定しようとすると、押え爪５へより大きな押圧力を作用させる必要があるので、宝石１を台座部４へ固定する際に宝石１と台座部４の受部４ａ（主として押え爪５と対向する部分）
との接触部が強く擦れ、台座部４の受部４ａに生ずる小さな傷により（ｃ）図のように点々ｅが表れることがあった。
【特許文献１】特許第３１８２６８３号公報（特開平９−２８４２７号公報）
【特許文献２】実公平６−８７３０号公報（実開昭６３−１９９６１０号公報）
【発明の開示】
【発明が解決しようとする課題】
【０００６】
本発明の解決課題は、ファセットカット宝石のクラウンの露出面積を一層拡大するとともに、輝きをできるだけ阻害せずに宝石を確実に保持させることにある。
したがってその目的は、宝石のクラウンが塞がれる面積をできるだけ小さくしながら、宝石を脱落することがないよう確実にに台座部へ保持させるとともに、図９の（ａ）図や図１０の（ｃ）図のように、宝石のテーブル面に宝石の輝きとは異なる色の点々（ないし影）ｅが反映されることがほとんどないか、あるいはそれらが発生し難いファセットカット宝石の取付構造を提供することにある。
【課題を解決するための手段】
【０００７】
本発明に係るファセットカット宝石の取付構造は、前記課題を解決するため、キューレット部１１ａを上向きの案内孔２ａ内に挿入して案内した状態で宝石１のパビリオン１１の先端部を支持する台座部２と、前記宝石１の中心から４５〜１２０°の角度間隔で、前記台座部２から前記宝石１のガードル部１２を経て立ち上がる独立した二個の押え爪３とを一体に備え、当該二個の押え爪３により前記宝石１のファセット部１０ｂを前記台座２の前記案内孔２ａの凸円弧状断面の内周面からなる受け部２ｂに向って押え付けるように曲げ加工することにより、宝石１のファセット部１０ｂの外周縁とパビリオン１１の先端部周面とを二個の押え爪３と前記受け部２ｂ間に挟み付けた状態で取付けたことを特徴とするものである。
【発明の効果】
【０００８】
本発明に係るファセットカット宝石の取付構造によれば、台座部２には、宝石１の中心から１８０°未満の角度範囲内の部分に所定の角度間隔で当該台座部２から前記宝石１のガードル部１２を経て立ち上がる独立した複数の押え爪３を一体に備え、当該各押え爪３により前記宝石１のファセット部１０ｂを前記台座２側に押え付けており、宝石１は台座部２の受部と複数の押え爪３とにより挟み付けられた状態になるので、個々の押え付けの力（宝石を止める力）は小さくても宝石１は台座部２へ確実に保持される。
各押え爪３はそれぞれ独立していて、宝石１を押える力が総体として宝石１及び台座部２の受部に作用するので、個々の押え爪３のサイズや押え力は小さくて済む。例えば、押え爪３を二つ設けた場合、宝石１を安定・確実に保持させるための各押え爪３のサイズ及び押えの力は、図９，１０の取付構造に比べて１／４程度で足り、たがねと槌等の強い衝撃を与える工具でなく、やっとこやペンチ等の衝撃力の小さな工具により各押え爪３を曲げ加工することができる。
したがって、宝石１のクラウンの露出面積は相対的により大きくなり、押え爪３で宝石１を台座部２へ押し付けるときに台座部２の宝石１との接触部に傷が付き難く、宝石１のテーブル面に前記傷による影が表れることはほとんどないか極めて少ない。
【発明を実施するための最良の形態】
【０００９】
図１〜図８を参照しながら、本発明に係るファセットカット宝石の取付構造の好適実施形態を説明する。
第１実施形態
図１は第１実施形態の取付構造を示す正面図、図２は図１の取付構造の背面図、図３は図１の取付構造の側面図、図４は図１の矢印Ａ−Ａに沿う拡大断面図、図５は図３の矢印Ｂ−Ｂに沿う部分拡大断面図である。
【００１０】
金，銀やプラチナその他の貴金属を材質とする台座部２は、図２で示すようにほぼリング状に成形されており、この台座部２の一部には、立上り部２０を介して１８０°未満の角度範囲内にそれぞれ独立した押え爪３，３が一体的に形成されている。この実施形態において、押え爪３，３相互の角度間隔はほぼ９６°である。
各押え爪３，３は、宝石１のガードル部１２を経て当該宝石１のクラウン１０の側部ヘ突出しており、図４のように、台座部２の案内孔２ａへ宝石１のキューレット部１１ａを案内した状態で、当該宝石１のパビリオン１１を前記台座部２へ支持させ、この状態で各押え爪３，３を図示しない工具により宝石１のファセット部１０ｂ側に曲げ加工し、当該ファセット部１０ｂを前記台座部２へ押え付ける。
【００１１】
前記案内孔２ａのパビリオン１１との接触部は、断面ほぼ凸円弧（パビリオン１１との相対的関係では大円弧）状の受部２ｂを形成しており、宝石１は、この受部２ｂ（各押え爪３と対向する位置にある）と押え爪３とにより挟み付けられた状態で台座部２へ取り付けられている。
前記取付状態において、各押え爪３，３の押付け力を合わせた力はそれらの押え爪３，３と相対する台座部２の各受部２ｂ間の領域ヘほぼ均等に作用するから、各押え爪３，３で宝石１を台座部２へ押付ける力は小さくて済み、かつ、各押え爪３，３を合わせたサイズ（正面から見えるサイズ）も小さくて足りる。
したがって、宝石１のクラウン１０が押え爪３，３によって塞がれる面積は相対的に小さくなるので当該クラウン１０の露出面積がより拡大するほか、宝石１のパビリオン１１と台座部２との接触部の一箇所へ大きな力が加わらないため、台座部２の当該接触部には傷が付き難く、宝石１のテーブル１０ａの面にそれらの傷による影が反映されることはほとんどない。
また、押え爪３はたがねと槌を使用せずに例えばやっとこ等の手軽な挟み工具を使用してより簡単に曲げ加工をすることができる。
【００１２】
各押え爪３の基部内側には、宝石１のガードル部１２とその上下が接触しないように、当該ガードル部１２と対向する凹部３０が形成され、ガードル部１２のサイズが異なる宝石にも対応して使用することができるようになっている。
【００１３】
図２，図３及び図５で示すように、各立上り部２０，２０と各押え爪３，３の基部との連続部背面側にはそれぞれ突出部２１が一体に形成されており、各立上り部２０，２０と突出部２１との連続部分には、当該各立上り部２０，２０相互の反対向側面から対向側面へ向けてやや先下がり状に貫通し、かつ、前記対向面側の内側開口部が宝石１のパビリオン１１の上端部分下面へ臨む状態にガイド孔２２ａが形成されている。
各突出部２１には、対応するガイド孔２２ａの外側開口部と連通し当該外側開口部から先上り状にガイド溝２２ｂがそれぞれ形成され、ガイド孔２２ａとガイド溝２２ｂの底部とは円弧状面２２ｃ（図５）により連続している。
【００１４】
前記各ガイド孔２２ａとそれに対応するガイド溝２２ｂは、図１及び図２で示すようにチェーンその他のチェーン状装身具６の挿通ガイド２２を構成しており、一方の挿通ガイド２２から他方の挿通ガイド２２へチェーン状装身具６を通して例えばネックレスとして使用する場合には、チェーン状装身具６の各挿通ガイド２２間の部分は、宝石１のパビリオン１１側（背面側）に隠れて正面からはほとんど見えない状態になる（図２）。また、挿通ガイド２２，２２へチェーン状装身具６を通したとき、当該チェーン状装身具６は、挿通ガイド２２の前記円弧状面２２ｃにより当該挿通ガイド２２と円滑に摺動する。
各挿通ガイド２２，２２は、首に吊るされるネックレスのチェーン状装身具６の身体の正面側で垂れ下がる部分の円弧とほぼ適合するように、下方へ傾斜しているとともに挿通ガイド２２，２２の反対向側から対向側（外側から内側）へ曲がりつつ緩やかに傾斜している。
前記のような使用状態において、宝石１は各挿通ガイド２２，２２へ通されたチェーン状装身具６によりそのクラウン１０が常に正面を向く状態になる。
【００１５】
押え爪３，３が二個である場合それら相互の間隔は、正面視において宝石１の中心から４５〜１２０°の範囲内で、宝石１の大きさや押え爪３，３の大きさ及び形状などにより適宜選択するのが好ましい。最も好ましくは６５〜１００°である。
【００１６】
第２実施形態
図６は第２実施形態の取付構造を示す正面図である。
この実施形態においては、一方の押え爪３を正面視において矢羽部形状に形成するとともに、他方の押え爪３を正面視において前記矢羽部形状と適合する鏃部形状に形成し、一方の押え爪３へのみチェーン状装身具６を連結している。
このように構成すると、装身具をたとえばネックレスとして使用する場合、宝石１は台座部４の重量により図のように一方の押え爪３がほぼ真上になって垂れ下がり、両押え爪３，３は斜めの矢印形状を呈し、視覚上矢が走っているような感じを与える。すなわち、矢印形状は水平又は垂直な形態では静止感を与えるが、斜め下又は斜め上を向いた状態では走っているような躍動感を与えるからである。
同図において、チェーン状装身具６を反対側の押え爪３ヘ連結すれば矢印形状は斜め上を向く状態になる。
第２実施形態の取付構造における他の構成や作用，効果は、第１実施形態の取付構造と同様であるのでそれらの説明は省略する。
【００１７】
その他の実施形態
複数の押え爪３は正面視において宝石１の中心から１８０°の範囲内へ所定の角度間隔で配置されていれば十分であるから、例えば図７で示すよう三個の押え爪３を設けてもよい。押え爪３を三個設けた場合には、個々の押え爪３はさらに小さく形成することができる。なお、図７の符号７は、立上り部２０の上部背面へ一体に形成された挿通ガイド片であり、この挿通ガイド片７にはチェーン状装身具を通す挿通ガイド孔７０が形成されている。
各押え爪３，３は、曲げ加工したときに宝石１のファセット部１０ｂヘ被さる主部がそれぞれ独立していれば、それらの宝石１を押える力が独立して作用するから、例えば図８で示すように押え爪３，３の相互の背面部は円弧状その他の形状の連結片８により連結されていても差し支えない。
【図面の簡単な説明】
【００１８】
【図１】本発明に係るファセットカット宝石の取付構造の第１実施形態を示す正面図である。
【図２】図１の取付構造の背面図である。
【図３】図１の取付構造の側面図である。
【図４】図１の矢印Ａ−Ａに沿う拡大断面図である。
【図５】図３の矢印Ｂ−Ｂに沿う部分拡大断面図である。
【図６】本発明に係る取付構造の第２実施形態を示す正面図である。
【図７】本発明に係る取付構造のその他の実施形態を示す正面図である。
【図８】本発明に係る取付構造のさらに他の実施形態を示す正面図である。
【図９】特許文献１に記載されている宝石の取付構造を示す図で、（ａ）図は正面図、（ｂ）図は側面図である。
【図１０】特許文献２に記載されている宝石の取付構造を示す図で、（ｃ）図は正面図、（ｄ）図は側面図である。
【符号の説明】
【００１９】
１  宝石
１０  クラウン
１０ａ  テーブル
１０ｂ  ファセット部
１１  パビリオン
１１ａ  キューレット部
１２  ガードル部
２，４  台座部
２０  立上り部
２ａ  案内孔
２ｂ  受部
２１  突出部
２２  挿通ガイド
２２ａ  ガイド孔
２２ｂ  ガイド溝
３，５  押え爪
６  チェーン状装身具
７  挿通ガイド片
７０  挿通ガイド孔
８  連結片
【図１】
0004659551.tif 000002
【図２】
0004659551.tif 000003
【図３】
0004659551.tif 000004
【図４】
0004659551.tif 000005
【図５】
0004659551.tif 000006
【図６】
0004659551.tif 000007
【図７】
0004659551.tif 000008
【図８】
0004659551.tif 000009
【図９】
0004659551.tif 000010
【図１０】
0004659551.tif 000011